(57)【要約】      （修正有）【課題】日本国の山岳は火山地帯が走っており、活火山の突然の噴火による爆発は数秒の余地がなく、噴火による噴石の落下による災害を避けるための一時避難所としての噴火退避豪を提供する。【解決手段】コルゲートパイプ７を使用し、その上部に落下物の防御のために現地の岩石・石を使って、網ネットで包み蛇籠とした衝撃吸収材６をアーチ状１０に固定して一時避難の噴火避難壕とする。【選択図】図１
2016089490.tif 000002
【特許請求の範囲】
【請求項１】
屋根仕上げとし、鉄筋、繊維ネットを全体が袋になっており更に上側ネットが切れ目があり階段状の小袋が繋がりがあり、中に石を詰め更に充填材を詰める衝撃吸収仕上げ材、蛇籠をアーチ状にし石と充填材で自立させ、コルゲートパイプの波型断面の外側に蛇籠が接し内側の間に空気層がある、落下物の衝撃に対して蛇籠、コルゲートパイプは波状の断面であり外側-内側のサンドイッチ耐力、空気層の３段緩衝材を配する組合せからなることを特徴とする噴火退避壕。
【請求項２】
火山の火口、登山道付近に人が入る片面閉じたコルゲートパイプ１本、２本を一列にならべ間を入口とする、コルゲートパイプの足元及び壁下側、風上は石を並べ基礎、壁とする一時の避難する噴火退避壕壕。
【請求項３】
鉄骨造、鉄筋コンクリ−ト造架台上に退避壕を乗せ、退避壕入口にハッチを付けこれを屋根部分とし、コルゲートパイプは一重及び二重とし、火山砕屑物を受け架台下部には広間を設けたことを特徴とする噴火退避壕。
【発明の詳細な説明】
【技術分野】
【０００１】
山脈、火山は遠景、近景に人を引き込むものがある、登山者も多い、突然の噴火があった、噴火の種類は水蒸気爆発、火山の種類によって性質が異なるが噴火可能性のある場合は、予測防御が最善だが登山者は最小限の災害を避ける工夫を図ることが必要です。登山者自身のヘルメット、落下物防止用のリック、身体の防御用のカバー装具はある。避難用の壕は災害を避ける工夫の一助となる、自然の景観に人工物の設置は好ましくはないが自然景観を損なわない工夫は必要、現場の素材を多く利用し現場の変化に対応して解体移動可能なものは登山者の助けになる。
本発明は火山頂上における突然の噴火による、登山道付近の噴石の落下による被害を避ける、落下が落ち着いた時退避する退避壕であり、火山の山頂及び登山道付近沿いに設置する、人間が複数入る人命の災害を避ける工夫を図る工作物に関する。
【背景技術】
【０００２】
日本国の山岳は火山地帯が走っており、活火山がある、山岳家、行楽客は火口の近くに立いる、近年突然の噴火による犠牲者が出ている、突然の噴火による爆発は数秒の余地がない、全力で災害を避ける工夫工作物に避難する必要がある、そこに避難壕の存在理由がある。火山は110有る中で避難壕がある火山は10火山にとどまっている、それぞれの火山により避難壕の必要数は変わっているが、避難壕の１ヶ所当り10人から100人の避難壕は登山者数に合せて場所と数は災害を避ける工夫工作物数を用意する必要がある。
火口近く、登山道での避難壕の建設は場所への材料の運搬量、重量を考慮すると、プレシステム、分割、サンドイッチ、繊維、網、波型断面は軽量化の方法である。鋼材は薄めと波型、分割、プレシステムにより加工し現場では接合金物、ボルト、ピンにより組立作成する方法がある。落下物への最初の防御は屋根被覆材により行い、繊維製の蛇籠のネットと現場の岩石・石、土壌、接着による方法で衝撃力に対処する、避難壕の形はコルゲートパイプ、コンクリートパイプで形造り荷重をも負担する。
運搬は人力及びヘリコプターでの輸送を考える。登山家、行楽客の災害を避ける工夫工作物を推し進める。
【先行技術文献】
【特許文献】
【０００３】
【特許文献１】特許５２５４９２５号
【非特許文献】
【０００４】
【非特許文献１】阿蘇山シェルター
【発明の概要】
【発明が解決しようとする課題】
【０００５】
登山家、行楽客が突然の噴火に見舞われた時、火山噴火の噴石落下物の一時避難退避の災害を避ける工夫に寄与する。落下岩石、噴石による速度は人に耐えられるものではない、そこで身近に逃げ込む工作物が必要になる、災害を避ける工夫工作物の避難壕間隔の距離は短い方が良いが、20ｍから100ｍとすれば頂上近くは短くなる、収容人員と距離は登山客の数は最大数とすることは望ましい限りである。
【課題を解決するための手段】
【０００６】
噴石を防ぐ手段は、突然の災害の人命存在の現場近くにある避難壕である。壕の収容人員は災害時一時時間の詰込みであるが10人から100人そして個数による、これは内容量、長さにより、断面形、高さ、半径、形が多種あり、円形、多角型、楕円。材はコルゲートパイプ、コンクリートパイプ。
高地であることが多い、噴石の岩石、石、かけらによる災害を防ぐこと、上部からの災害、横向きの風もある。
素材として工作物は軽くてヘリコプターで移動が可能、現地の岩石、石、土を使用する。
噴石の到達する地域は、噴火する近く、活火山の火口近く、登山道である。
素材のコルゲートパイプは人が入る一重のコルゲートパイプがある、大きさは人が這って歩く大きさから中腰で入るもの立って歩くものがある。基礎、壁下部は現場の岩石・石でコルゲートパイプ状下部に整地をし載せる、更に壁下部に石を並べ被う。外部屋根に落下物の衝撃に対処する緩衝仕上げ材を載せる、形は鉄筋又は繊維ネットで全体が袋になっており更に上側ネットが切れ目があり階段状の小袋が繋がりがあり岩石・石を詰める、内部に充填材を詰めて間隙を無くす、充填材は接着力を持つ、充填材は鉛直荷重を支持する部分にはモルタル・セメントに現場の土を撹拌するもの、鉛直荷重を支持しないが石が詰まっている部分には発泡材の充填材がある。屋根緩衝仕上げ材全体はアーチ状に形作り自立する。
【０００７】
１ヶ所の避難壕の配置計画のコルゲートパイプは水平を原則とし２個のコルゲートパイプを一列に並べ間を入り口として通路の巾を開ける、コルゲートパイプの外端部は閉じて壁とする、断面は谷側、山側下部は整地をし現場の石で基礎盤とする、壁下部も岩石・石を積み基礎と一体化する。
【０００８】
屋根被覆仕上げ材は形はコルゲートパイプ及び壁基礎上部までとしアーチ状を形造る構成は繊維ネットの蛇籠造りとしとする、コルゲートパイプ上に繊維ネットを被せ筒の繊維の内部に上部から石を入れる、岩石・石との間には充填材を入れる。アーチ状の構成は構造上形圧縮力を支持する。また岩石・石を使うことにより強風に持上がらない。入口は向き合った間にあり吹き上げに影響は少ない、吹抜け風は防止される。
【０００９】
噴火退避壕は頂上及び登山道付近にあるが、現場の岩石・石で囲い、網ネット、高さが人の高さであり、地衣類・高山植物・芝生で覆えば期間経てば更に確認しずらいこともある、退避壕のマークで位置を示す、登山者、行楽客のパンフレット等に案内をし知らしめることが必要である。
【発明の効果】
【００１０】
活火山の突然の水蒸気爆発による現場では人的災害を少なくし、登山からの災害を避ける工夫工作物は退避の一時の壕をよりどころとなる。
自然の災害は防ぐ手段としては避難壕は一時的に考慮に値する。
現地の材料をそのまま使い、運搬材料は軽い材料を使用して被い、軽作業ですむことにより多くの壕が可能である。
火山の落下物は小から大まである、火山砕屑物、火山灰、火山弾、火山礫、火山岩塊があり、落下のスピードも弾丸ほどもある、小は蛇籠部分で跳ねかえり又はめり込む、大は蛇籠を乗り越えコルゲートパイプの外側に達するもの、そこでめり込むもの、そこで波型のコルゲートパイプの空気層があり蛇籠が受け飛び出した火山砕屑物は鉄板で受け曲がり、湾曲するが波型の剛性がありそこで落ち着く、コルゲートパイプは２層は更に災害を避ける工夫である、避難人は一瞬の避難に耐え得る壕である。
【図面の簡単な説明】
【００１１】
【図１】避難壕断面
【図２】立面図
【図３】網ネットと石、仕上げ材
【図４】山小屋断面
【図５】山小屋退避壕２層種類
【図６】山小屋退避壕２層６角断面種類
【発明を実施するための形態】
【００１２】
噴石落下災害であり防ぐ手段は、突然であり人命の救急救助は現場近くにある避難壕である。壕の収容人員は災害一時の詰込みをが入れると10人から100人そして個数による、これは内容量、長さにより、断面形、高さ、巾、形が多種あり、円形、多角型、楕円。材は（７）コルゲートパイプである、運搬に必要な大きさ、重量とし分割し建設現場にて（９）コルゲートパイプ接合具、金物、ボルト、ピンで組み立てる。上部から横向きの風のを防ぐことも重要である。
材として工作物は軽くてヘリコプターで移動が可能、現地の（２）岩石、石をも使用する。
噴石の到達する地域は、噴火する近く、活火山の火口近く、登山道である。
材の（７）コルゲートパイプは人が入る一重のであり、大きさは（１１）退避人が(１４）中腰で入るもの、（１５）立って歩くもの、（１６）多く入る大きさからがある、基礎、壁下部は現場の（２）岩石・石で下部（１３）地盤を整地をし載せる更に壁下部に並べ被う。その外部屋根に落下物の衝撃に対処する屋根被覆仕上げ材として（６）緩衝吸収材を載せる、形は（１）繊維ネットの網であり袋になっており（２）岩石・石を詰める、（５）充填材を詰めて間隙を無くし接着力を持つ（１０）アーチ状に形作り自立する。
【００１３】
１ヶ所の避難壕の配置計画のパイプは水平を原則とし２個の（７）コルゲートパイプを一列に並べ間を（１２）入口として通路の巾を開ける、外端部は閉じて壁とする山側、谷側は現場の（２）岩石・石で（８）基礎用石とし整地し積上げる壁下部も石を積み基礎と一体化する。
【００１４】
屋根被覆仕上げ材は形は（７）コルゲートパイプ及び壁基礎上部までとし（１０）アーチ状を形造る構成は繊維ネットで（３）ネットの仕切り部分を設け蛇籠造りとしとする、半径状の筒に繊維ネットを（４）締め糸でくぐり断面の大きさを限定する、繊維ネットを被せ筒の繊維の内部に上部から（２）岩石・石を入れる間には（５）充填材を入れる。（１０）アーチ状の構成は構造上（６）衝撃吸収材の形を支持する。また（２）岩石・石を使うことにより強風に持上がらない。（１２）入口は向き合った間にあり吹き上げに影響は少ない、吹抜け風は防止される。
【００１５】
退避壕は頂上及び登山道付近にあるが、現場の（２）岩石・石で囲い、（１）繊維ネット、高さが人の高さであり、期間経てば更に確認しずらいこともある、退避壕マークで位置を示す、登山者、行楽客のパンフレット等に案内をし知らしめる、退避壕は山小屋建設にも利用できる、（１９）山小屋断面は鉄骨製、鉄筋コンクリ−ト（１８）架台上に退避壕を乗せこれを（２０）山小屋屋根部分とし火山砕屑物を受け、退避壕入口にはハッチを付け、（１８）架台下部広間は（２１）ロビーとなりより災害を避ける工夫工作物は山小屋になる。退避壕のコルゲートパイプは２重にすることもできる、２重にすれば災害を避ける工夫度が増し、衝撃は外側のコルゲートパイプが受け、内側のコルゲートパイプは更に２度の防御になる。  
【産業上の利用可能性】
【００１６】
人的保護の壕であり、急激な火山の爆発に対する災害を避ける工夫工作物は登山者、観光客にとってよりどころのの指標になる。
【符号の説明】
【００１７】
１  繊維ネット
２  岩石・石
３  ネット仕切り部分
４  締め糸
５  充填材
６  衝撃吸収材
７  コルゲートパイプ
８  基礎、壁用石
９  コルゲートパイプ接合具
１０  アーチ状
１１  避難人
１２  入口
１３  地盤
１４  人がはって歩く
１５  立って歩く
１６  多く入る
１７  部分断面
１８  架台
１９  山小屋断面
２０  山小屋屋根
２１  ロビー
【図１】
2016089490.tif 000003
【図２】
2016089490.tif 000004
【図３】
2016089490.tif 000005
【図４】
2016089490.tif 000006
【図５】
2016089490.tif 000007
【図６】
2016089490.tif 000008